(57)【要約】【課題】電気掃除機において、同一の吸口で、通常の乾燥ごみの掃除と、簡単な水拭き掃除を実現すること。【解決手段】ミスト発生部２２と、床面１３を拭くリップ２０周囲に配置した回転ワイパ２１と、床面１３の水分を吸水する吸水口２６に連通した水分を分離し溜める分離タンク２３を吸口１２に内蔵する構成とした。これにより、吸口１２内に設けることが可能な少量タイプのミスト発生部２２を用いて、従来の乾燥ごみの掃除はもちろんのこと、簡単な床面の水拭き掃除も、同一の吸口１２で行えるようになるものである。【選択図】  図２
2005027807.tif 000002
【特許請求の範囲】
【請求項１】
電動送風機を内蔵した掃除機本体の吸引部に接続された吸口と、床面に水分を供給する前記吸口に内蔵されたミスト発生部と、床面を拭くリップを周囲に配置した回転ワイパと、床面の水分を吸水する吸水口に連通した水分を分離し溜める分離タンクを有した電気掃除機。
【請求項２】
吸水口が回転ワイパの外周に設置された請求項１記載の電気掃除機。
【請求項３】
表面が吸水体で構成され、床面の水分を吸水する回転ワイパと、吸水された水分を吸引する吸水口とを有した請求項１記載の電気掃除機。
【請求項４】
吸水口が回転ワイパの外周に設置された請求項２記載の電気掃除機。
【請求項５】
回転ワイパの内部にミスト発生部を設置した請求項１記載の電気掃除機。
【請求項６】
ミスト発生部が遠心力を利用した構成を有する請求項５記載の電気掃除機。
【請求項７】
ミスト発生部が超音波を利用した構成を有する請求項１〜５のいずれか１項に記載の電気掃除機。
【請求項８】
ミスト発生部の水分に抗菌剤含ませた請求項１〜７のいずれか１項に記載の電気掃除機。
【発明の詳細な説明】
【０００１】
【発明の属する技術分野】
本発明は、電動送風機を有した吸引型の電気掃除機に関するものである。
【０００２】
【従来の技術】
従来の水拭き掃除を可能にした電気掃除機は、床用吸込具に取り付けたスポンジ体に給水するために、スポンジ体を水に浸し、その後電気掃除を運転し、スポンジ体の水分を吸水する必要がある。そのため、電気掃除機本体は水を吸い込むことが可能な十分な防水構成を有する必要があり、複雑な本体構成が必要になる。又、水拭き掃除と、乾いたゴミの吸引掃除を床用吸込具の付け替え無しに行うことは難しく、水拭き掃除用の床用吸込具と一般ゴミ用床用吸込具を兼ねることは難しく、電動の回転ブラシを内包することも難しい（例えば、特許文献１参照）。
【０００３】
【特許文献１】
特開平７−５１２０９号公報
【０００４】
【発明が解決しようとする課題】
従来の技術では、電気掃除機本体は水を吸い込むことが可能な十分な防水構成を有する必要があり、複雑な本体構成が必要になる。又、水拭き掃除と、乾いたゴミの吸引掃除を床用吸込具の付け替え無しに行うことは難しく、水拭き掃除用の床用吸込具と一般ゴミ用床用吸込具を兼ね更に電動の回転ブラシを内包するこができないという課題を有している。
【０００５】
本発明は前記従来の課題を解決するもので、水拭き掃除と一般の乾燥ごみの掃除とが、同一の吸口で行える電気掃除機を提供することを目的とする。
【０００６】
【課題を解決するための手段】
上記課題を解決するために本発明は、電動送風機を内蔵した掃除機本体の吸引部に接続された吸口と、床面に水分を供給する吸口に内蔵されたミスト発生部と、床面を拭くリップを周囲に配置した回転ワイパと、床面の水分を吸水する吸水口に連通した水分を分離し溜める分離タンクを有する構成とした。これにより、吸口内に設けることが可能な少量タイプのミスト発生部を用いて、従来の乾燥ごみの掃除はもちろんのこと、簡単な床面の水拭き掃除も、同一の吸口で行えるものである。
【０００７】
【発明の実施の形態】
請求項１に記載の発明は、電動送風機を内蔵した掃除機本体の吸引部に接続された吸口と、床面に水分を供給する吸口に内蔵されたミスト発生部と、床面を拭くリップを周囲に配置した回転ワイパと、床面の水分を吸水する吸水口に連通した水分を分離し溜める分離タンクを有した電気掃除機とすることにより、吸口内に設けることが可能な少量タイプのミスト発生部を用いて、従来の乾燥ごみの掃除はもちろんのこと、簡単な床面の水拭き掃除も、同一の吸口で行えるものである。
【０００８】
請求項２に記載の発明は、請求項１記載の吸水口を、回転ワイパの外周に設置することにより、より床面に近い位置から吸水ができ、床面を痛めずより短時間に水拭き掃除ができる電気掃除機を実現できる。
【０００９】
請求項３に記載の発明は、請求項１記載の電気掃除機に加えて、表面が吸水体で構成され、床面の水分を吸水する回転ワイパと、吸水された水分を吸引する吸水口と有する構成とすることにより、より簡単な構成で水拭き掃除が可能になる。
【００１０】
請求項４に記載の発明は、請求項２記載の吸水口が、回転ワイパの外周に設置した構成とすることにより、より吸水性能が良くなり、より床面を痛めずに水拭き掃除が可能になる。
【００１１】
請求項５に記載の発明は、請求項１記載の回転ワイパの内部に、ミスト発生部を設置することにより、より少ない水で効果的な水拭き掃除が可能になる。
【００１２】
請求項６に記載の発明は、請求項５記載のミスト発生部が、遠心力を利用した構成とすることにより、微細なミストが実現でき、少量の水で水拭き掃除が可能になる。
【００１３】
請求項７に記載の発明は、請求項１〜５のいずれか１項に記載のミスト発生部が、超音波を利用した構成とすることにより、より微細なミストが実現でき、より少量の水で床を痛めずに水拭き掃除ができる。
【００１４】
請求項８に記載の発明は、請求項１〜７のいずれか１項に記載のミスト発生部の水分に、抗菌剤含ませた構成とすることにより、床面の抗菌が行え、しかも吸口自身に菌が繁殖することを抑制することができる。
【００１５】
【実施例】
（実施例１）
図１に、本発明の第一の実施例における電気掃除機を示す。１１は電動送風機１１ａを内蔵した掃除機本体を示し、集塵部１４に設けた吸引部２５に接続されたホース１６、延長管１７を介して吸口１２が接続されている。すなわち電動送風機の吸引力により床面１３の塵埃などが吸口１２から吸引され、集塵部１４で塵埃が分離蓄積される。図２は横長形状の吸口１２の断面図を示し、２１は周囲にゴム材からなる柔軟なリップ２０を配置した床面を掃くあるいは拭くための回転ワイパであり、電動機（図示せず）により駆動される。２２はミスト発生部を示し、水を貯えるタンク２２ａと、開閉弁２２ｂを有した給水口２２ｃと微少な滴下口２２ｄから構成されている。これらのミスト発生部２２は上下方向に可動でき、滴下口２２ｄを十分に床面１３に接近させることができる。２３は水分の分離タンクである。２４は吸口接続パイプであり延長管１７に着脱自在に接続できる。２６は分離タンク２３に水分が混じった気流が流入する吸水口を示し、その上流側は狭く絞った前通路２６ａが構成されている。２７は吸気口扉を示し、開閉可能で開けば直接大きな風量が吸引され、閉じれば流速が早められた気流が吸水口２６から流入する。
【００１６】
次に動作について説明する。吸口１２に吸引される矢印３０ａに示す気流により滴下口２２ｄよ表出した水滴は細かい粒子に霧化され床面１３に水分を供給し、床面１３に付着した飲料物などの跡の汚れを軟化させる。軟化し水分に融けた汚れは回転ワイパに２１により機械的に剥離され気流３０ａと共に吸水口２６から吸引される。吸水口２６から分離タンク２３に流入した流れ３０ｂは、急速に減速されるため水分３３は下方向に向かい分離タンク２３内に蓄積する。水分が分離された後の気流３０ｃ吸口接続パイプ２４を通過し延長管１７へ流入する。すなわち分離タンク２３で汚れを含んだ水分が分離される。
【００１７】
水分を効果的に分離するためには、分離タンク２３で気流が急減速する必要がある。又、水分が空気と共に吸引されるためには流速が大きいことが必要である。本実施例では床面１３から剥離された水に融けた汚れは回転ワイパ２１のリップ２０により機械的な力により跳ね上げられ流速を大きくするために面積を絞った前通路２６ａを経て吸水口２６から気流と共に吸い込まれる。分離タンク２３での気流の流れる断面積は吸水口２６に比べ非常に大きいため流速は急減速され、水分は気流と共に流れる事ができなくなり重力により下方向に落下し水分が分離され、延長管１７に水分はほとんど流入しない。
【００１８】
一般に掃除機に使用する電動送風機１１ａは遠心型で大きな圧力が発生できる。そのため吸水口２６、前通路２６ａなどで通路を絞ると、風量は小さくなるが前通路２６ａ、吸水口２６では大きな風速が得られる。すなわち低風量ではあるが、水分を含んだ高速な気流が分離タンク２３内に流入し、急激に減速される。又、風量自身が小さくなっているため断面積の比較的大きい延長管１７に流入する流速は小さく水分が気流に運ばれ掃除機本体１１に流入することは無い。又、流路を絞り圧力が高くなり過ぎ、吸口１２が床面１３に吸着し操作性が悪くなるような場合は、電動送風機１１への入力を下げ、更に低風量で運転しても、前通路２６ａの断面積を更に小さくすれば流速は大きくすることができ、水分を吸引することが可能である。
【００１９】
３２は水分を含んだ気流が後方に流れるの防ぎ、上方に跳ね上げやすくするための床面リップを示す。ミストの量は開閉弁２２ｂの開閉あるいは開口度を変えることにより滴下量を可変することにより制御できる。この吸口１２を乾燥した一般の塵埃の掃除をするために使用するには、図２（ｂ）のように開閉弁２２ｂを閉じ、滴下口２２ｄからの水分の表出を止め、吸気口扉２７を開け、ミスト発生部２２を上方に移動させ、滴下口２２ｄと床面１３の距離を大きくし、風が流れやすくする。このようにすれば矢印３０ｄで示すような大きな風量で一般の乾燥した塵埃の掃除が行える。
【００２０】
水拭き掃除と一般の掃除の切り替えは一連の掃除動作中でも可能である。分離タンク２３に溜まった水分を捨てるには、吸口１２を延長管１７から外し吸口接続パイプ２４から捨てれば良い。又別に排水口を設けることも、着脱可能な構成にすることも可能である。又、掃除機本体の排気流を利用して分離タンク２３内に気流を送り、水分の排出と乾燥を行うことも考えられる。
【００２１】
（実施例２）
図３（ａ）は本発明の第２の実施例を示す電気掃除機の吸口１２を示す。本実施例は、吸水口４６を回転ワイパ４１の周囲に設けた場合であり、床面１３から吸い込まれた水分は回転ワイパ４１内の通路４１ａを通り、その端面４１ｂに設けた連通管４２を通り分離タンク２３に開口した連通管出口４２ａから分離タンク２３へ矢印３９で示す気流と共に吸引される。このような構成では、吸水口４６を床面１３に近づけることができより迅速に床面１３の水に溶けた汚れを吸い取ることが可能になる。図４は回転ワイパ４１を正面から見た端面４１ｂ部分の拡大断面図である。矢印３９ａは水分３８が分離した後、掃除機本体へ吸引される気流の流れを示す。
【００２２】
図３（ｂ）は回転ワイパ４１の周囲をスポンジなどの吸水体４３で構成した例であり、水分に融けた床面１３の汚れはいったん吸水体４３に吸い取られ、その後回転ワイパ４１の外周に設けた吸水口４６から吸引される。この構成では床面１３に直接吸水体４３が接触するため、効果的な吸水、水拭き掃除ができる。図５は吸口１２を底面からみた一部断面図を示している。矢印３９は水分を含んだ気流の流れを示し、３８は分離された水分を示す。
【００２３】
図６に示すように、分離タンク２３に開閉蓋Ａ６５を設けた吸気口６４を設置し、連通管４２の出口４２ａにも開閉蓋Ｂ６６を設け、水拭き掃除時には開閉蓋Ａ６５を閉じ、開閉蓋Ｂを開け、乾燥ゴミを対象とする一般掃除時には開閉蓋Ａ６５を開ければ、それぞれの掃除に対し適切な流量が選られ掃除性能が向上する。すなわち水拭き掃除時には高圧低風量の流れ、一般掃除時には低圧大風量の流れを得やすくなる。矢印６７ａは水拭き掃除時の気流の流れを、矢印６７ｂは一般掃除時の気流の流れを示す。
【００２４】
図７は、回転ワイパ４１の外周に吸水体４３を巻いているが、吸水口４６は外部に設けた例であり、床面１３に吸水体４３が接触した時に床面から吸水し、吸水口４６に近づいた時に吸水体４３の水分が分離タンク２３へ吸引される構成である。吸水体４３の表面に圧接した突起前４４は吸水体４３の水分を絞る役目をし、吸水体４３の表面にわずかに当接した突起後４４ｂは水分の床面１３への逆流を防止している。４５は水滴を、矢印３０は気流の流れを、矢印４０は回転ワイパ４１の回転方向を示している。
【００２５】
（実施例３）
図８、図９を用いて本発明の第３の実施例について説明する。図８（ｂ）は回転ワイパ５１部分の拡大図、図９は吸口１２を正面からみた一部断面図を示す。５２は水タンクであり連通管５０によって回転ワイパ５１の内部に設置され、下側に多数の滴下口５３を有する給水管５４に接続されている。給水管５４は固定されており回転はせず、回転ワイパ５１は回転できる。５１ａは床面を拭くため回転ワイパ５１の外周に設置したゴム質のリップであり、５５はやはり回転ワイパ５１の外周に設けたミストの排出口５５を示す。回転ワイパ５１が回転しているとき内部に滴下口５３より矢印５３ｂで示すように水滴５３ａが落ちると回転ワイパの内壁５１ｂで弾かれ霧散すると同時に排出口５５より遠心力で外部に微少な水滴すなわちミストとして排出される。ミストは前記実施例で述べたように、床面１３の汚れを溶かし、溶けた汚れは回転ワイパ５１で床面１３から簡単に剥離され、吸水口５６より吸引される。矢印６０は回転ワイパ５１の外周より放出されたミストの流れを、矢印６０ａは水分に溶けた汚れを含む気流の流れを、矢印６０ｂは水分３８が分離した後の気流の流れを示す。
【００２６】
図１０（ａ）はスポンジ等の多孔質体５７が多数の排出口５５を有した回転ワイパ５１の外周に巻かれた例であり、ミストはこの多孔質体５７から遠心力により外部に排出され、汚れを溶かすと同時に多孔質体５７が汚れを剥離し、気流と共に吸水口５６より吸入される。この方法は、濡れ雑巾と同様の働きをし、効果的に床面１３の汚れを除去できる。
【００２７】
又、図１０（ｂ）の様に回転ワイパ５１の中に給水タンク５２を設置しても良い。この場合は排出口５５ａは滴下口を兼ねる構成となり、吸口１２全体の構成が簡素化される。矢印６０ａは水分に溶けた汚れを含む気流の流れを、矢印６０ｂは水分３８が分離した後の気流の流れを示す。
【００２８】
図１０で示すように、分離タンク２３に開閉蓋Ａ６５を設けた吸気口６４を設置し、連通管４２の出口４２ａにも開閉蓋Ｂ６６を設け、水拭き掃除時には開閉蓋Ａを閉じ、開閉蓋Ｂを開け、一般掃除時には開閉蓋Ｂを開ければ、それぞれの掃除に対し適切な流量が選られ掃除性能が向上する。
【００２９】
【発明の効果】
以上のように本発明によれば、吸口内に設けることが可能な少量タイプのミスト発生部を用いて、従来の乾燥ごみの掃除はもちろんのこと、簡単な床面の水拭き掃除も、同一の吸口で行えるものである。
【図面の簡単な説明】
【図１】本発明の実施例１における電気掃除機のイメージ図
【図２】（ａ）同、電気掃除機で水拭き掃除をする際の吸口の断面図
（ｂ）同、電気掃除機で一般乾燥ゴミ掃除をする際の吸口の断面図
【図３】（ａ）本発明の実施例２における電気掃除機の吸口の断面図
（ｂ）同、回転ワイパの回りに吸水体を巻いた例を示す吸口の断面図
【図４】同、電気掃除機の吸口の要部詳細断面図
【図５】同、電気掃除機の吸口を、回転ワイパの底面からみた部分断面図
【図６】（ａ）同、電気掃除機の吸口の他の実施例を示す断面図
（ｂ）同、電気掃除機で水拭き掃除をする際の吸口の断面図
【図７】同、電気掃除機の吸口の他の実施例を示す断面図
【図８】（ａ）本発明の実施例３における電気掃除機の吸口の断面図
（ｂ）同、電気掃除機の吸口の回転ワイパ部の詳細図
【図９】同、電気掃除機の吸口を、正面からみた部分断面図
【図１０】（ａ）同、電気掃除機の吸口の他の実施例を示す断面図
（ｂ）同、電気掃除機の吸口の他の実地例を示す断面図
【符号の説明】
１１  掃除機本体
１２  吸口
１３  床面
２１、４１、５１  回転ワイパ
２２  ミスト発生部
２３  分離タンク
２６、４６、５６  吸水口
４３  吸水体
【図１】
2005027807.tif 000003
【図２】
2005027807.tif 000004
【図３】
2005027807.tif 000005
【図４】
2005027807.tif 000006
【図５】
2005027807.tif 000007
【図６】
2005027807.tif 000008
【図７】
2005027807.tif 000009
【図８】
2005027807.tif 000010
【図９】
2005027807.tif 000011
【図１０】
2005027807.tif 000012